【事件の表示】
　特許第３１９４８６３号「折戸構造」の請求項１、３に係る特許に対する特許異議の申立てについて、次のとおり決定する。
【結　論】
　訂正を認める。
　特許第３１９４８６３号の請求項１、３に係る特許を維持する。
【理　由】
一　手続の経緯
　本件特許第３１９４８６３号の請求項１ないし３に係る発明は、平成８年３月２１日に特許出願され、平成１３年６月１日にその特許権の設定登録がなされ、その後、請求項１及び３に係る発明の特許について折寄武士より特許異議の申立てがなされ、平成１４年４月９日付けで取消理由通知がなされ、その指定期間内である平成１４年６月１１日付けで訂正請求がなされたものである。
　
二　訂正の適否についての判断
１．訂正の内容
　平成１４年６月１１日付けの訂正請求書により、特許権者が求めている訂正の内容は次のとおりである。
　
訂正事項１
　特許請求の範囲を次のとおり訂正する。
「【請求項１】　一方が固定側とされ他方が自由側とされる２枚の戸板が連結されてなる扉が、該扉の上部に設けられた誘導レールに案内されて折たたみ可能とされる折戸に用いられる構造であって、
　前記自由側戸板の下面に係合突起が設けられるとともに、この係合突起と係合可能な係合受け具が該扉下部の床面所定位置に設けられ、
　前記係合突起が前記自由側戸板の下面に自律的に復帰可能に収納され、
　前記係合突起と係合受け具とが相互に吸引可能とされ、
　扉を閉じた状態において、前記係合突起と前記係合受け具とが係合され、
　前記係合受け具には、前記係合突起を収容可能な案内溝が形成されてなることを特徴とする折戸構造。
　【請求項２】　前記案内溝に緩衝部材が装着されてなることを特徴とする請求項１記載の折戸構造。
　【請求項３】　前記係合突起に磁石が配設され、かつ前記係合受け具に前記磁石に対応させて磁性体が配設されてなることを特徴とする請求項１または２記載の折戸構造。」
　
訂正事項２
　明細書の段落【００１１】を次のとおり訂正する。
「【課題を解決するための手段】
　本発明の折戸構造は、一方が固定側とされ他方が自由側とされる２枚の戸板が連結されてなる扉が、該扉の上部に設けられた誘導レールに案内されて折たたみ可能とされる折戸に用いられる構造であって、前記自由側戸板の下面に係合突起が設けられるとともに、この係合突起と係合可能な係合受け具が該扉下部の床面所定位置に設けられ、前記係合突起が前記自由側戸板の下面に自律的に復帰可能に収納され、前記係合突起と係合受け具とが相互に吸引可能とされ、扉を閉じた状態において、前記係合突起と前記係合受け具とが係合され、前記係合受け具には、前記係合突起を収容可能な案肉溝が形成されてなることを特徴とする。」
　
訂正事項３
　明細書の段落【００１２】を次のとおり訂正する。
「そして、前記案内溝に緩衝部材が装着されることが好ましい。」
　
２．訂正の目的の適否、新規事項の有無及び拡張変更の存否
　訂正事項１の請求項１に係る訂正は、旧請求項１に、旧請求項１の従属項である旧請求項２の「前記係合受け具には、前記係合突起を収納可能な案内溝が形成される」という構成を付加したものであって、係合受け具の構成を限定したものであり、特許請求の範囲の減縮を目的とするものである。また、訂正事項１の請求項３に係る訂正は、旧請求項３の「係号受け具」を「係合受け具」と訂正するものであって、誤記の訂正を目的とするものである。なお、訂正事項１において、請求項２についても訂正がなされているが、旧請求項２の上記構成を旧請求項１に付加したことに伴う訂正であって、旧請求項２を実質的に訂正するものではない。
　訂正事項２及び３は、訂正事項１による特許請求の範囲の訂正に伴う訂正であって、いずれも明りょうでない記載の釈明を目的とするものである。
　そして、訂正事項１ないし３は、願書に添付した明細書又は図面に記載した事項の範囲内の訂正であり、実質上特許請求の範囲を拡張し、又は変更するものではない。
　
３．むすび
　以上のとおりであるから、上記訂正は、特許法第１２０条の４第２項及び同条第３項において準用する特許法第１２６条第２項から第４項までの規定に適合するので、当該訂正を認める。
　
三　特許異議の申立てについて
１．申立ての理由の概要
　特許異議申立人折寄武士は、甲第１ないし５号証を提出し、請求項１及び３に係る発明は、甲第１及び２号証に記載の発明に基いて当業者が容易に発明をすることができたものであり、特許法第２９条第２項の規定により特許を受けることができないものであるから、請求項１及び３に係る特許は取り消されるべきものであると主張している。
　
２．本件発明
　上記のように本件訂正が認められるから、本件の請求項１及び３に係る発明（以下、「本件発明１及び３」という。）は、上記「二　１．訂正の内容」で示した訂正明細書の特許請求の範囲の請求項１及び３に記載された事項により特定されるとおりのものである。
　
３．刊行物
（１）当審が通知した取消理由に引用した刊行物１（実公昭５５−２２１４３号公報［異議申立人折寄武士の提出した甲第１号証］）には、
「本考案を扉１の下端部に係合突起５を設けた実施例により詳述する。図中１は固定側の扉であって、端部の上下に旋回軸８が突出しており、旋回軸８がそれぞれ天井に配設したレール９の端部の軸受け１０と床１９に設けた軸受け１７とに回転自在に枢支してある。この扉１の他端部には他の扉２の一端部が蝶番１１によって折畳み自在に枢支してあり、扉２の他端部の上部には誘導軸１２が突出していてレール９に摺動自在に挿入してあって、扉１，２を折り畳んだり、閉塞したりした場合誘導軸１２がレール９内を摺動するようになっている。扉１，２の一方の枢支部３寄り下端部には下方に開口する孔部１３が穿孔してあり、この孔部１３に下方が開口せる筒体１４が嵌め込んであり、筒体１４の下端開口には内方に向けてリップ片１５が突出してある。筒体１４内にはばね４によって下方に押下げられる係合突起５の上部が挿入され、通常は係合突起５の段部１６が筒体１４のリップ片１５に弾接していて係合突起５の下部が扉１より下方に突出するようになっている。係合突起５の突出した下端は略半球状に丸められている。床１９の扉１，２閉塞時に上記係合突起５と対応する個所に受け部材１８が配設してある。この受け部材１８の上面部に係合突起５が係合自在となった凹所６が設けてあり、更に後部に上方に向けて係合突起５が当接自在なストッパ７が突設してある。ここでストッパ７の上面は扉１，２の下面よりも下方に位置していて扉１，２開閉時に扉２の先端下面部２０が当らないようになっている。また凹所６は係合突起５の着脱が容易なように上部程大径としておくといっそう着脱が容易となるものである。しかして扉１，２を閉塞すると係合突起５が凹所６に係合して扉１，２が自然と開くのが防止されることとなる。」（１頁２欄２ないし３５行）
と記載されており、当該記載及び第１、２図の記載からみて、刊行物１には、
「固定側の扉１の他端部に他の扉の一端部が折畳み自在に枢支され、扉２の他端部の上部には誘導軸１２が突出しレール９に摺動自在に挿入され、扉１，２を折り畳んだり閉塞したりした場合、誘導軸１２がレール９内を摺動するようになっており、扉２の枢支部３寄り下端部の孔部１３に筒体１４が嵌め込んであり、筒体１４内にはばね４によって下方に押下げられる係合突起５の上部が挿入され、通常は係合突起５の段部１６が筒体１４のリップ片１５に弾接していて係合突起５の下部が扉１より下方に突出するようになっており、床１９の扉１，２閉塞時に係合突起５と対応する個所に受け部材１８が配設してあり、扉１，２を閉塞すると係合突起５が凹所６に係合される扉１，２の構造。」
の発明が記載されていると認められる。
　
（２）同じく、刊行物２（実願昭４８−９９６３８号（実開昭５０−４５９３３号）のマイクロフィルム［同甲第２号証の２］）には、
（ア）「フレーム内に弾圧退入させられた吸着体を有する吸着部と、永久磁石と減磁装置を内蔵したソレノイド部とで開扉保持装置を構成し、吸着部を防火扉の先端下面に設けると共にソレノイド部を床に埋設し、ソレノイド部の減磁装置と煙感知器とを扉枠に設けたリミットスイッチを介して結線したことを特徴とする防火扉装置。」（実用新案登録請求の範囲）、
（イ）「防火扉を開いて吸着体（１５）を、永久磁石（１３）上に持ちきたし、操作棒（１９）で吸着体（１５）を力に抗して押し下げることにより、以後永久磁石（１３）の吸着力で、防火扉は開扉状態を保つ。」（明細書３頁末行ないし４頁４行）
と記載されている。
　
３．対比・判断
（１）本件発明１について
　本件発明１と刊行物１に記載の発明とを比較すると、刊行物１に記載の発明の「扉１，２」、「枢支され」、「レール９」、「床１９の扉１，２閉塞時に係合突起５と対応する個所」及び「受け部材１８」が、本件発明１の「２枚の戸板」、「連結され」、「誘導レール」、「床面所定位置」及び「係合受け具」に相当し、刊行物１に記載の発明の「扉１」と「扉２」を併せたもの、及び、「扉１」と「扉２」を併せたものを「レール９」に摺動自在としたものが、本件発明１の「扉」及び「折戸」に相当し、刊行物１に記載の発明の「レール９に摺動自在」は、「誘導レールに案内されて折たたみ可能」と言い換えることができ、さらに、刊行物１に記載の発明の「係合突起５」は、ばね４によって、通常は筒体１４のリップ片１５に弾接しているので、「自由側戸板の下面に自律的に復帰可能に収納され」ているといえるから、両者は、
「一方が固定側とされ他方が自由側とされる２枚の戸板が連結されてなる扉が、扉の上部に設けられた誘導レールに案内されて折たたみ可能とされる折戸に用いられる構造であって、自由側戸板の下面に係合突起が設けられるとともに、この係合突起と係合可能な係合受け具が扉下部の床面所定位置に設けられ、係合突起が自由側戸板の下面に自律的に復帰可能に収納され、扉を閉じた状態において、係合突起と係合受け具とが係合される折戸構造。」
の点で一致し、次の点で相違する。
　
相違点１
　本件発明１では、係合突起と係合受け具とが相互に吸引可能とされるのに対し、刊行物１に記載の発明では、そのような構成を有しない点
　
相違点２
　本件発明１では、係合受け具に、係合突起を収容可能な案内溝が形成されているのに対し、刊行物１に記載の発明では、そのような構成を有しない点
　
　そこで、相違点１について検討すると、刊行物２には、防火扉（本件発明１の「折戸」に対応）の先端下面に弾圧退入させられた（本件発明１の「自律的に復帰可能に収納され」に相当）吸着体（本件発明１の「係合突起」に相当）と、床に埋設したソレノイド部（本件発明１の「係合受け具」に対応）の永久磁石を吸着させる（本件発明１の「相互に吸引可能」に相当）点が記載されており、刊行物１に記載の発明と刊行物２に記載のものとは、共に扉の保持という共通の技術分野に属するものであるから、刊行物１に記載の発明に刊行物２に記載の上記技術事項を適用して、相違点１に係る本件発明１の構成とすることは当業者が容易になし得ることである。
　次に、相違点２について検討すると、上記のように、刊行物２には本件発明１の「係合突起」に相当する「吸着体」、及び本件発明１の「係合受け具」に対応する「ソレノイド部」を設ける点が記載されているが、係合受け具に、係合突起を収容可能な案内溝を形成する点は記載も示唆もされていない。
　そして、本件発明１は、相違点２に係る構成を備えることにより、明細書に記載の「このように扉ａを閉じることによって、前記係合突起２が係合受け具４の案内溝４２内に案内・収容されるが、この状態においては、図２（ｂ） に示すように、前記案内フランジ４３，４３間にキャップ部２２の基端側外周部が接触しているため扉ａの戸先側下端部の前後方向の振れが規制されるとともに、扉ａの上方への振れも前記案内フランジ４３，４３と係合鍔２３との接触によって規制されることとなる。つまり、扉ａを閉めて係合突起２と係合受け具４とを係合させることにより、扉ａの戸先側下端部がこれらによって支持されるため、これと前記固定側の戸板ｆ１の固定軸ｄ，ｄおよび自由側の戸板ｆ２のスライド軸ｅの３箇所とによって扉ａの４点支持構造が実現される。」（段落【００３１】ないし【００３２】）という刊行物１に記載の発明及び刊行物２に記載のものからは期待できない顕著な効果を奏するものである。
　したがって、本件発明１は、刊行物１及び２に記載の発明に基いて当業者が容易に発明をすることができたものとすることはできない。
　
（２）本件発明３について
　本件発明３は、本件発明１を引用して、さらに構成を限定したものであるから、本件発明１についての判断と同様の理由により、刊行物１及び２に記載の発明に基いて当業者が容易に発明をすることができたものとすることはできない。
　
５．むすび
　以上のとおりであるから、特許異議の申立ての理由によっては本件発明１及び３についての特許を取り消すことはできない。
　また、他に本件発明１及び３についての特許を取り消すべき理由を発見しない。
　よって、結論のとおり決定する。
【異議決定日】
平成１４年６月２１日（２００２．６．２１）
【訂正の要旨】
訂正の要旨
　特許第３１９４８６３号発明の明細書を、本件特許異議申立に関連してなされた訂正請求書に添付された訂正明細書のとおりに訂正する。
　すなわち、特許請求の範囲の減縮及び誤記の訂正を目的として訂正事項１のとおり、明りょうでない記載の釈明を目的として訂正事項２及び３のとおり訂正する。
訂正事項１
　特許請求の範囲を次のとおり訂正する。
「【請求項１】　一方が固定側とされ他方が自由側とされる２枚の戸板が連結されてなる扉が、該扉の上部に設けられた誘導レールに案内されて折たたみ可能とされる折戸に用いられる構造であって、
　前記自由側戸板の下面に係合突起が設けられるとともに、この係合突起と係合可能な係合受け具が該扉下部の床面所定位置に設けられ、
　前記係合突起が前記自由側戸板の下面に自律的に復帰可能に収納され、
　前記係合突起と係合受け具とが相互に吸引可能とされ、
　扉を閉じた状態において、前記係合突起と前記係合受け具とが係合され、
　前記係合受け具には、前記係合突起を収容可能な案内溝が形成されてなることを特徴とする折戸構造。
　【請求項２】　前記案内溝に緩衝部材が装着されてなることを特徴とする請求項１記載の折戸構造。
　【請求項３】　前記係合突起に磁石が配設され、かつ前記係合受け具に前記磁石に対応させて磁性体が配設されてなることを特徴とする請求項１または２記載の折戸構造。」
訂正事項２
　明細書の段落【００１１】を次のとおり訂正する。
「【課題を解決するための手段】
　本発明の折戸構造は、一方が固定側とされ他方が自由側とされる２枚の戸板が連結されてなる扉が、該扉の上部に設けられた誘導レールに案内されて折たたみ可能とされる折戸に用いられる構造であって、前記自由側戸板の下面に係合突起が設けられるとともに、この係合突起と係合可能な係合受け具が該扉下部の床面所定位置に設けられ、前記係合突起が前記自由側戸板の下面に自律的に復帰可能に収納され、前記係合突起と係合受け具とが相互に吸引可能とされ、扉を閉じた状態において、前記係合突起と前記係合受け具とが係合され、前記係合受け具には、前記係合突起を収容可能な案肉溝が形成されてなることを特徴とする。」
訂正事項３
　明細書の段落【００１２】を次のとおり訂正する。
「そして、前記案内溝に緩衝部材が装着されることが好ましい。」
（５４）【発明の名称】
折戸構造
（５７）【特許請求の範囲】
　【請求項１】　一方が固定側とされ他方が自由側とされる２枚の戸板が連結されてなる扉が、該扉の上部に設けられた誘導レールに案内されて折たたみ可能とされる折戸に用いられる構造であって、
　前記自由側戸板の下面に係合突起が設けられるとともに、この係合突起と係合可能な係合受け具が該扉下部の床面所定位置に設けられ、
　前記係合突起が前記自由側戸板の下面に自律的に復帰可能に収納され、
　前記係合突起と係合受け具とが相互に吸引可能とされ、
　扉を閉じた状態において、前記係合突起と前記係合受け具とが係合され
、
　
前記係合受け具には、前記係合突起を収容可能な案内構が形成されてな
　【請求項２】　前記案内溝に緩衝部材が装着されてなることを特徴とする請求項１記載の折戸構造。
　【請求項３】　前記係合突起に磁石が配設され、かつ前記係
合
【発明の詳細な説明】
　【０００１】
　【発明の属する技術分野】
　本発明は折りたたみ式可動ドア（以下、折戸という）の構造に関する。さらに詳しくは、扉下部に誘導レールを設けずに扉の４点支持構造を実現する折戸構造に関する。
　【０００２】
　【従来の技術】
　マンション・住宅等におけるクローゼットの扉や室内の間仕切りユニットとして、一般に折戸が使用されているが、かかる折戸においては、図４（ａ）に示すように、扉ａの上下に誘導レールｂ，ｃを備え、この扉ａを固定側の戸板ｆ１の上下に設けらた固定軸ｄ，ｄと自由側の戸板ｆ２の上下に設けられたスライド軸ｅ，ｅの４箇所で支持する４点支持タイプのものと、図４（ｂ）に示すように扉ａの上部のみに誘導レールｂを備え、この扉ａを固定側の戸板ｆ１の上下に設けらた固定軸ｄ，ｄと自由側の戸板ｆ２の上部にのみ設けられたスライド軸ｅの３箇所で支持する３点支持タイプのものが知られている。
　【０００３】
　ここで、固定軸ｄは固定側の戸板ｆ１を一定位置で揺動可能に支持するための回転軸であり、スライド軸ｅは誘導レールｂ（およびｃ）上をスライド可能とされて、自由側の戸板ｆ２の動きをこの誘導レールｂ（およびｃ）に沿って案内する案内軸として機能するものである。
　【０００４】
　ところで、前記のごとき折戸の戸板ｆとしては、例えば、図５（ａ）に示すように鋼板製や木製の枠体ｆａ内に補強材ｆｂとしてウレタン発泡やハニカム材等を充填したものが使用されているが、近時折戸のローコスト化を図るべく、図５（ｂ）に示すように、補強材ｆｂを充填しない枠体ｆａのみから構成される戸板ｆも提案されている。
　【０００５】
　しかしながら、図５（ｂ）のような戸板ｆを折戸に使用する場合、次のような問題がある。
　【０００６】
　すなわち、図５（ｂ）に示す戸板ｆにおいては、図５（ａ）に示す戸板ｆのように枠体にｆａ内に補強材ｆｂが充填されていないことから、必然的にその剛性も図５（ａ）のもに比べると低くなる。そのため、このような戸板ｆを折戸に適用する場合、扉ａに充分な剛性を得るために、折戸の構造は上述の４点支持タイプのものに限定されていた。
　【０００７】
　つまり、この図５（ｂ）に示す戸板ｆを前記３点支持タイプの折戸に適用すると、扉ａを閉めた状態において扉ａの戸先側の下端部が何処にも支持されていない、いわば自由状態となる。その結果、扉ａが前後（図４において紙面に対して前後）方向の力に対して構造的に弱くなってしまうため、このように剛性の低い戸板ｆを用いる場合には、戸先側下端部も支持される構造である前記４点支持タイプのものに限定されている。
　【０００８】
　ところが、この４点支持タイプの折戸では、前述のように扉ａの上下に誘導レールｂ，ｃが必要となるが、特に下部の誘導レールｃの施工は、通常、図６に示すように、その配設箇所に該当する床面Ｇのフローリング等の床材ｇを切り欠いた上で、その切り欠き部分に誘導レールｃを嵌め込んで装着している。そのため、４点支持タイプの折戸は、このような下部の誘導レールｃを持たない前記３点支持タイプの折戸に比べ施工に手間がかかるという問題がある。
　【０００９】
　しかも、このような４点支持タイプは、折戸の使用時において、下部の誘導レールｃ内にホコリやゴミが入り易い一方で掃除がしにくく、また意匠的にもすっきりしないという問題もある。
　【００１０】
　【発明が解決しようとする課題】
　本発明はかかる従来技術の課題に鑑みなされたものであって、下部誘導レールを用いずに剛性の比較的低い扉の４点支持構造を実現可能とするとともに、施工上および意匠上も有利な折戸構造の提供することを目的としている。
　【００１１】
　【課題を解決するための手段】
　本発明の折戸構造は、一方が固定側とされ他方が自由側とされる２枚の戸板が連結されてなる扉が、該扉の上部に設けられた誘導レールに案内されて折たたみ可能とされる折戸に用いられる構造であって、前記自由側戸板の下面に係合突起が設けられるとともに、この係合突起と係合可能な係合受け具が該扉下部の床面所定位置に設けられ、前記係合突起が前記自由側戸板の下面に自律的に復帰可能に収納され、前記係合突起と係合受け具とが相互に吸引可能とされ、扉を閉じた状態において、前記係合突起と前記係合受け具とが係合され
、前記係合受け具には、前記係合突起を収容可能な案内構が形成されてな
　【００１２】
　そして、前記案内溝に緩衝部材が装着されることが好ましい。
　【００１３】
　ここで、この吸引構造は、前記係合突起に磁石を配設し、かつ前記係合受け具に磁性体を前記磁石に対応させて配設することにより実現される。
　【００１４】
　【作用】
　本発明の折戸構造においては、自由側の戸板を上部の誘導レールに沿って案内させて扉を閉じると、自由側戸板の下面に設けられた係合突起が床面所定位置に設けられた係合受け具に係合される。これにより、前記自由側戸板の下面が係合受け具によって支持されるため、下部の誘導レール無しに扉の４点支持構造が実現できる。
　【００１５】
　また、前記係合受け具に前記係合突起を収容可能な案内溝が形成されるとともに、この案内溝に緩衝部材が装着されることにより、扉を閉じる際、前記係合突起が案内溝で案内されつつ係合受け具に収容されるとともに緩衝部材によってその動きが規制されるため、扉を閉める際の衝撃が緩和され、静かに扉を閉めることができる。
　【００１６】
　しかも、前記係合突起が前記自由側戸板の下面に自律的に復帰可能に収納されるとともに、前記係合突起と前記係合受け具とが吸着可能とされることにより、前記係合突起は、扉を開いた状態では自由側戸板の下面にコンパクトに収納される一方、扉を閉じる際には、磁石と磁性体との相互の吸引作用によって引き出されて係合受け具と係合される。
　【００１７】
　【発明の実施の形態】
　以下、添付図面を参照しながら本発明を実施の形態に基づいて説明するが、本発明はかかる実施の形態のみに限定されるものではない。
　本発明に係る折戸構造を図１〜図３に示し、この折戸構造は、具体的には、図５（ｂ）に示すような剛性の比較的低い戸板ｆを折戸に適用する際に用いられるものであって、係合突起２および係合受け具４を主要部として構成される。なお、図においてａは扉、ｂは上部の誘導レール、ｆ２は自由側の戸板をそれぞれ示している（固定側の戸板ｆ１は図示省略）。
　【００１８】
　扉ａは２枚の戸板ｆ１，ｆ２を図示しないヒンジ機構を介して折りたたみ可能に連結してなるもので、本例においては図４に示す従来の３点支持構造の折戸と同様に、図において右側の戸板ｆ１が固定側とされ、左側の戸板ｆ２が自由側の戸板とされる。そして、固定側の戸板ｆ１には、その右端部の上下両部にそれぞれ固定軸ｄ，ｄが設けられるとともに、この固定軸ｄ，ｄを介して固定側の戸板ｆ１が揺動可能とされている。一方、自由側の戸板ｆ２においては、その左端（戸先側）の上部にはスライド軸ｅが設けられるとともに、このスライド軸ｅによって自由側の戸板ｆ２が前記誘導レールｂ沿ってスライド可能とされている。
　【００１９】
　そして、本実施の形態においては、自由側の戸板ｆ２の下面に図１（ａ）に示すような係合突起２が設けられている。この係合突起２は、前記係合受け具４と係合可能な形状・構造を備え、より具体的には、この係合突起２は自由側の戸板ｆ２の戸先側下面から突出状に設けられた軸部２１と、この軸部２１の先端に装着されたキャップ部２２とから構成されている。
　【００２０】
　この軸部２１は、図１（ｂ）に示すように、上下方向に伸縮可能とされるとともに、例えば戸板ｆ２内に設けられたスプリング機構（図示省略）等によって戸板ｆ２の下面に自律的に復帰可能に装着されている。そして、この状態（スプリングの復元力により収納された状態）において、前記キャップ部２２の先端が床面Ｇから３〜４ｍｍ程度の間隔Ｌ１を保つように設定されている。
　【００２１】
　キャップ部２２は、後述する係合受け具４の案内溝４２に接触しながらそれに収容されるもので、その先端外周部に係合鍔２３が形成されているとともに、この係合鍔２３には床面Ｇと対向する位置に吸引作用体（本実施の形態では磁石）６１が、この係合鍔２３の下面と面一となるように装着されている。そして、このキャップ部２２は、後述するように、その基端側外周部が係合受け部４の案内フランジ４３，４３と接触することから、合成樹脂等の滑りのよい材料で一体成形されることが好ましい。
　【００２２】
　一方、係合受け具４は、折戸の扉ａが設置される床面Ｇの所定位置、すなわち自由側の戸板ｆ２を閉じた状態において、この戸板ｆ２の戸先側下部の前記係合突起２と対向するように設けられるもので、図２（ａ）に示すような形状・構造とされる。具体的には、この係合受け具４は、枠体４１と、この枠体４１に前記係合突起２を収容可能に形成した案内溝４２と、この案内溝４２の終端部４２ａに装着される緩衝部材７とを主要部として構成されている。
　【００２３】
　そして、この枠体４１に形成された案内溝４２は、その両側にそれぞれ略円弧状の案内フランジ４３，４３を有し、案内溝４２はこの案内フランジ４３，４３によって、その開口部４１ｂから終端部４２ａに向かって先細となるように形成されている。また、これよって前記案内溝４２は、その断面形状が図２（ｂ）に示すように略凸形状とされ、この略凸形状の空間内に前記係合突起２のキャップ部２２の係合鍔２３が収納可能とされている。
　【００２４】
　なお、この案内溝４２の終端部４２ａの開口幅（案内フランジ４３，４３同士の間隔）は、少なくとも前記係合突起２のキャップ部２２の直径より広くなるように構成されており、案内フランジ４３，４３によって案内されるキャップ部２２の基端側外周部が挿通可能とされている。
　【００２５】
　また、緩衝部材７は前記案内溝４２内に前記係合突起２を案内・収納する際の当たり止めとなるもので、その際の衝撃を吸収し得るように弾性を有する部材、例えばゴム等から構成される。そして、この緩衝部材７は、図示しない位置調整機構によって前記案内溝４２内で適宜その位置を設定変更可能とされている（図２（ａ）矢符参照）。
　【００２６】
　さらに、この枠体４１の少なくとも前記案内溝４２の底部４２ｃには、前記キャップ部２２の吸引作用体６１と相互に吸引可能な吸引作用体（本実施の形態では磁性材、例えば鉄）６２が配設されており、本実施の形態では枠体４１の底板として鉄板が使用されている。
　【００２７】
　なお、図２（ａ）において、８は枠体４１を床面Ｇに取り付けるためのネジ穴であり、そしてこのネジ穴として図示のような長穴が採用されており、枠体４１を床面Ｇに取り付ける際の位置調整が可能とされている。
　【００２８】
　しかして、このように構成されてなる折戸においては、その扉ａを閉じることによって扉ａの４点支持構造が以下のようにして実現される。
　【００２９】
（１）扉ａを閉じるにあたり、図３に示すように折りたたまれている扉ａ（自由側の戸板ｆ２）を矢符Ａ方向にスライドさせる。その際、戸板ｆ２の係合突起２が係合受け具４に接近すると、これらの両者に配設されている吸引作用体６１，６２が相互の吸引力、例えば磁力によって引き合うことにより戸板ｆ２に自律的に復帰可能に収納されていた係合突起２が次第に矢符Ｂに示すように下方に引き出される。
　【００３０】
（２）この引き出された係合突起２は、前記係合受け具４に設けられた案内溝４２の開口部４１ｂ近傍でその引き出て量が最大限になり、この状態で開口部４１ｂから案内溝４２内に導かれる。そして、案内溝４２内では、前記係合突起２のキャップ部２２の基端側外周部が前記案内フランジ４３，４３と接触しながら順次案内溝４２の終端部４２ａまで案内され、最後に前記係合突起２が前記緩衝部材７に当たることで戸板ｆ２の動きが制止される。
　【００３１】
　このように扉ａを閉じることによって、前記係合突起２が係合受け具４の案内溝４２内に案内・収容されるが、この状態においては、図２（ｂ）に示すように、前記案内フランジ４３，４３間にキャップ部２２の基端側外周部が接触しているため扉ａの戸先側下端部の前後方向の振れが規制されるとともに、扉ａの上方への振れも前記案内フランジ４３，４３と係合鍔２３との接触によって規制されることとなる。
　【００３２】
　つまり、扉ａを閉めて係合突起２と係合受け具４とを係合させることにより、扉ａの戸先側下端部がこれらによって支持されるため、これと前記固定側の戸板ｆ１の固定軸ｄ，ｄおよび自由側の戸板ｆ２のスライド軸ｅの３箇所とによって扉ａの４点支持構造が実現される。
　【００３３】
　しかも、本実施の形態の折戸構造においては、係合突起２と係合受け具４とが吸引作用体（ここでは磁石と鉄板）６１，６２を利用して係合される構成とされていることから、図３に示すように、係合受け具４の厚さＬ２をかなり薄くすることができるため、それにともなって扉ａと床面Ｇとの隙間Ｌ３も小さくすることができる。
　【００３４】
　なお、本発明は適宜設計変更可能であり、例えば、前記係合突起２の形状・構造は、係合受け具４と係合可能な形状・構造であればよく、前記のような係合鍔２３を備える構成に限定されず、また同様に係合受け具４の形状・構造も係合突起２と係合可能であれば前記の構成に限られない。
　【００３５】
　【発明の効果】
　以上詳述したように本発明によれば、扉を閉じた状態において、自由側戸板の下面の係合突起と床面所定位置に設けられた係合受け具とが係合されるように構成したから、以下に列挙するような種々の優れた効果が発揮される。
　【００３６】
（１）自由側戸板の下面の支持を係合突起と係合受け具とによって実現したので、剛性の低い扉（戸板）においても下部の誘導レールを設けずに４点支持構造を実現できるから、このような扉を下部に誘導レールを備えない折戸に適用できることとなり、これに伴って、施工が楽で、掃除がしやすく、しかも意匠的にも価値の高い折戸を提供することが可能となる。
　【００３７】
（２）係合突起を自由側戸板の下面に自律的に復帰可能に収納し、係合突起と係合受け具の双方に吸引作用体を配設したことで、係合受け具の厚さを薄く構成することが可能となり、現行の下部誘導レールを備える折戸と同様程度に扉と床面との隙間を小さくすることが可能となる。
【図面の簡単な説明】
　【図１】
　本発明に使用する係合突起の一実施の形態を示し、同（ａ）は該係合突起の斜視図を、同（ｂ）は該係合突起の伸縮状態を示す説明図である。
　【図２】
　本発明に使用する係合受け具の一実施の形態を示し、同（ａ）は該係合受け具の斜視図を、同（ｂ）は該係合受け具に係合突起を係合した状態を示す縦断面図である。
　【図３】
　同実施の形態における折戸の閉扉動作を示す説明図である。
　【図４】
　従来の折戸の構造を示し、同（ａ）はいわゆる４点支持構造の折戸を、同（ｂ）はいわゆる３点支持構造の折戸をそれぞれ示す正面図である。
　【図５】
　従来の折戸に使用する戸板の構造を示し、同（ａ）は補強材を充填した戸板を、同（ｂ）は補強材を充填しない戸板をそれぞれ示す横断面図である。
　【図６】
　下部の誘導レールの施工状態を示す縦断面図である。
　【符号の説明】
　２　　　　　　　　係合突起
　２１　　　　　　　軸部
　２２　　　　　　　キャップ部
　２３　　　　　　　係合鍔
　４　　　　　　　　係合受け具
　４１　　　　　　　枠体
　４２　　　　　　　係合溝
　４３　　　　　　　案内フランジ
　６１　　　　　　　吸引作用体（磁石）
　６２　　　　　　　吸引作用体（磁性材）
　７　　　　　　　　緩衝部材
　ｆ１　　　　　　　固定側戸板
　ｆ２　　　　　　　自由側戸板
　ａ　　　　　　　　扉
　ｂ　　　　　　　　上部誘導レール
　Ｇ　　　　　　　　床面